Podtech/llm-jp-corpus-v4-ja_patent huggingface dataset:
【手続補正書】
【提出日】平成20年1月8日(2008.1.8)
【手続補正１】
【補正対象書類名】明細書
【補正対象項目名】００２８
【補正方法】変更
【補正の内容】
【００２８】
以下の例では、特許請求の範囲に記載の方法に従うn-酪酸、2-メチル酪酸、n-ヘプタン酸及びイソノナン酸の製造方法を記載する。アルデヒド原料の反応は、本発明に従い、触媒としての元素周期律表の第５〜第11族の金属またはこの金属の化合物の存在下に行われる。これらの例は、アルデヒドを非接触的に酸化した試験（比較例）の結果と比較される。比較例３は例外であり、2-メチルブタナールの酸化を記載する。非接触的酸化反応の際に副反応を高程度に起こすα- 分枝アルデヒドの特性を考慮すると、この例においては、当業者が通常選択するアルカリ塩の存在下での酸化反応が比較として引き合いに出される。各々の試験結果は、以下の特性量を記載することによって示される。
【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】  細胞にタンパク質をコードする核酸 を送達するための製剤であって、該核酸、ならびにポリグルタミン酸、ポリアスパラギン酸、ポリガラクツロン酸、ポリビニル硫酸、グルタミン酸とアスパラギン酸とからなるコポリマー、およびそれらの塩からなる群より選択されるアニオン性ポリマーを含み、カチオン性ポリマーを含まない、アニオン性ポリマーが非封入性であり、細胞への該核酸の送達を該ポリマーのない該核酸の送達に比べて増進するものである製剤。
【請求項２】  アニオン性 ポリマーがポリ-L-グルタミン酸、ポリアスパラギン酸、 およびそれらの塩からなる群より選択される、請求項１に記載の製剤。
【請求項３】  アニオン性ポリマーが2,000〜100,000ダルトンの分子量によって特徴づけられる、請求項２に記載の製剤。
【請求項４】  アニオン性ポリマーが約15,000〜約50,000ダルトンの分子量によって特徴づけられる、請求項３に記載の製剤。
【請求項５】  アニオン性ポリマーが約2,000〜約15,000ダルトンの分子量によって特徴づけられる、請求項３に記載の製剤。
【請求項６】  アニオン性ポリマーが約50,000〜約100,000ダルトンの分子量によって特徴づけられる、請求項３に記載の製剤。
【請求項７】  アニオン性ポリマーが1〜12mg/mlのアニオン性ポリマー濃度で核酸分子と共に製剤化される、請求項１に記載の製剤。
【請求項８】  アニオン性ポリマーが約2〜約6mg/mlのアニオン性ポリマー濃度で核酸分子と共に製剤化される、請求項７に記載の製剤。
【請求項９】  等張性である請求項１に記載の製剤。
【請求項１０】  アニオン性ポリマーが生体内で細胞への核酸の送達を増進する、請求項１に記載の製剤。
【請求項１１】  アニオン性ポリマーが生体内で筋組織中の細胞への核酸の送達を増進する、請求項１０に記載の製剤。
【請求項１２】  アニオン性ポリマーが生体内で複数の細胞 への核酸の送達を増進する、請求項１０に記載の製剤。
【請求項１３】  アニオン性ポリマーが液体貯蔵、凍結乾燥および凍結からなる群より選択される貯蔵条件の間に核酸に安定性を付与する、請求項１に記載の製剤。
【請求項１４】  核酸 が成長ホルモン、増殖因子、サイトカイン、凝固因子、抗原、および抗原因子 からなる群より選択されるタンパク質をコードする配列を含む、請求項１に記載の製剤。
【請求項１５】  サイトカインがインターフェロンである、請求項１４に記載の製剤。
【請求項１６】  体内投与に適した緩衝液をさらに含む、請求項１に記載の製剤。
【請求項１７】  ポリグルタミン酸が濃度約6mg/mlのポリ-L-グルタミン酸またはその塩である、約150mMのNaClをさらに含む 請求項１に記載の製剤。
【請求項１８】  核酸が約1mg/mlの濃度で製剤中に存在する、請求項１７に記載の製剤。
【請求項１９】  濃度約5mM〜約10mMのトリス緩衝液をさらに含む、請求項１７または１８に記載の製剤。
【請求項２０】  タンパク質をコードする核酸分子、ならびにポリグルタミン酸、ポリアスパラギン酸、ポリガラクツロン酸、ポリビニル硫酸、グルタミン酸とアスパラギン酸とからなるコポリマー、およびそれらの塩からなる群より選択されるアニオン性ポリマーを含み、カチオン性ポリマーを含まない凍結乾燥核酸製剤であって、アニオン性ポリマーが非封入性である製剤。
【請求項２１】  ポリグルタミン酸がポリ-L-グルタミン酸またはその塩である、請求項２０に記載の製剤。
【請求項２２】  ポリ-L-グルタミン酸の塩がナトリウム塩であり、かつ凍結乾燥前に1〜12mg/mlの濃度で製剤中に存在する、請求項２１に記載の製剤。
【請求項２３】  ポリ-L-グルタミン酸のナトリウム塩が凍結乾燥前に約6mg/mlの濃度で製剤中に存在する、請求項２２に記載の製剤。
【請求項２４】  該タンパク質が治療タンパク質を含む、請求項１に記載の製剤。
【請求項２５】  アニオン性ポリマーがポリ-L-グルタメートまたはその塩である、請求項１に記載の製剤。
【請求項２６】  核酸がサイトカインをコードする、請求項１に記載の製剤。
【請求項２７】  治療タンパク質の血中レベルを上昇させる医薬組成物であって、治療タンパク質をコードするベクター、ならびにポリグルタミン酸、ポリアスパラギン酸、ポリガラクツロン酸、ポリビニル硫酸、グルタミン酸とアスパラギン酸とからなるコポリマー、およびそれらの塩からなる群より選択されるアニオン性ポリマーを含み、カチオン性ポリマーを含まない、アニオン性ポリマーが非封入性である医薬組成物。
【請求項２８】  アニオン性ポリマーが生体内エレクトロポレーションと協同してトランスフェクションを増進する、請求項２７に記載の医薬組成物。
【請求項２９】  ポリグルタミン酸がポリ-L-グルタミン酸またはその塩である、請求項２８に記載の医薬組成物。
【請求項３０】  治療タンパク質が凝固因子、増殖因子およびサイトカインからなる群より選択される、請求項２７に記載の医薬組成物。
【請求項３１】  治療タンパク質が第IX因子、エリスロポイエチンおよびインターフェロン-αからなる群より選択される、請求項２７に記載の医薬組成物。
【請求項３２】  治療タンパク質の血中レベルを上昇させるための安定化された医薬組成物であって、治療タンパク質をコードする非ウイルスベクター、ならびにポリグルタミン酸、ポリアスパラギン酸、ポリガラクツロン酸、ポリビニル硫酸、グルタミン酸とアスパラギン酸とからなるコポリマー、およびそれらの塩からなる群より選択されるアニオン性ポリマーを含み、カチオン性ポリマーを含まない、アニオン性ポリマーが非封入性である医薬組成物。
【請求項３３】  アニオン性ポリマーがポリ-L-グルタメートまたはその塩である、請求項３２に記載の安定化された医薬組成物。
【請求項３４】  凝固因子が第IX因子である、請求項１４に記載の製剤。
【請求項３５】  増殖因子がエリスロポエチンである、請求項１４に記載の製剤。
【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】  Ａ）芳香族ポリカーボネート５〜９５重量部、
Ｂ）スチレンとアクリロニトリルの重量比９０：１０〜５０：５０を、ビニルモノマー０重量％〜５０重量％を共重合形態で更に含有する少なくとも２種のゴムラテックス（Ｂ１）および（Ｂ２）の存在下でエマルション重合することにより生成される少なくとも１種のグラフトゴムであって、スチレンおよび／またはアクリロニトリルは、α-メチルスチレン、メチルメタクリレートまたはＮ-フェニルマレイミドで完全にまたは部分的に置き換えてよく、使用されるモノマーと使用されるゴムラテックスとの重量比が２５：７５〜７０：３０であり、ゴムラテックス（Ｂ１）が、粒径ｄ５０３５０ｎｍ以下、（積算粒径分布からのｄ９０からｄ１０を減じた値として測定される）粒径分布範囲３０ｎｍ〜１００ｎｍ、およびゲル含量７０重量％以下を有し、そしてゴムラテックス（Ｂ２）が、粒径ｄ５０３５０ｎｍ以上、（積算粒径分布からのｄ９０からｄ１０を減じた値として測定される）粒径分布範囲５０ｎｍ〜５００ｎｍ、およびゲル含量７０重量％以上を有し、そしてＢ１とＢ２の平均粒径の差が５０ｎｍ以上であることを特徴とするもの１〜５０重量部、
Ｃ）スチレン、α-メチルスチレン、アクリロニトリル、メチルメタクリレートおよびＮ-置換マレイミドから成る群より選択される少なくとも１種のモノマーを含有する熱可塑性ホモポリマー、コポリマーまたはターポリマー少なくとも１種０〜５０重量部、および
Ｄ）任意に、少なくとも１種の難燃剤および場合により、通常使用される添加物０．５〜２５重量部
を含有し、前記成分の重量部の和が１００である、ポリカーボネート組成物。
【請求項２】  下記の式(III)で表されるホスフェートまたはこの混合物および下記の式(IV)で表されるリン化合物オリゴマーから成る少なくとも１つの群より選択される難燃剤を含有する請求項１記載の組成物。
【化１】
2003525991.tif 000001
（式中、Ｒ１２、Ｒ１３およびＲ１４は、互いに独立して、任意にハロゲン化されたＣ１〜Ｃ８-アルキル、または任意にハロゲン化および／またはアルキル化されたＣ５-またはＣ６-シクロアルキル、または任意にハロゲン化および／またはアルキル化および／またはアラルキル化されたＣ６〜Ｃ３０-アリールを表し、そしてｎおよびｍは、互いに独立して、０または１である。）
【化２】
2003525991.tif 000002
（式中、Ｒ１５、Ｒ１６、Ｒ１７およびＲ１８は、互いに独立して、Ｃ１〜Ｃ８-アルキル、Ｃ５〜Ｃ６-シクロアルキル、Ｃ６〜Ｃ１０-アリール、Ｃ７〜Ｃ１２-アラルキルを表し、ｎは、互いに独立して、０または１を表し、Ｎは、１〜５までの数を表し、そしてＸは、炭素数が６〜３０の単核または多核の芳香族基を表す。）
【請求項３】  ゴムラテックスＢ１およびＢ２がジエンゴム、ＥＰ（Ｄ）Ｍゴムおよびアクリレートゴムまたはこれらの混合物から選択される請求項１〜２のいずれかに記載のポリカーボネート組成物。
【請求項４】  難燃剤、潤滑剤、静電気防止剤、安定化剤、顔料、染料、フィラーおよび強化剤、離型剤および核形成剤から成る少なくとも１つの群から選択される成分を更に含有する請求項１〜３のいずれかに記載のポリカーボネート組成物。
【請求項５】  Ｒ１２、Ｒ１３およびＲ１４が、互いに独立して、フェニルまたはそのハロゲン化またはアルキル化誘導体を表し、そしてｎおよびｍが１を表す式(III)のリン化合物、およびＲ１５、Ｒ１６、Ｒ１７およびＲ１８が、互いに独立して、フェニルまたはそのハロゲン化またはアルキル化誘導体を表し、ｎは、１を表し、Ｎは、１〜５までの数を表し、そしてＸは、
【化３】
2003525991.tif 000003
またはフェニルを表す式(IV)のリン化合物オリゴマーから成る群より選択される少なくとも１種のリン化合物を含有する請求項１〜４のいずれかに記載のポリカーボネート組成物。
【請求項６】  成形品、シートまたはフィルムの製造のための請求項１〜５に記載の組成物の使用。
【請求項７】  請求項１〜５に記載の組成物から製造される成形品、シートまたはフィルム。
【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  硫黄含量が１０質量ｐｐｍ未満であり、かつ、芳香族含量が２５容量％未満である、ガソリンを含む燃料組成物であって、少なくとも５容量％のオレフィンを含み、かつ、実質的にエーテルを含まないことを特徴とする燃料組成物。
【請求項２】  硫黄含量が５質量ｐｐｍ未満である請求項１に記載の燃料組成物。
【請求項３】  芳香族含量が２０容量％未満である請求項１又は２に記載の燃料組成物。
【請求項４】  燃料組成物の全容量をベースとして少なくとも１０容量％のオレフィンを含む請求項１〜３のいずれか１項に記載の燃料組成物。
【請求項５】  燃料組成物の全容量をベースとして１０〜２５容量％のオレフィンを含む請求項１〜４のいずれか１項に記載の燃料組成物。
【請求項６】  燃料組成物中に存在するオレフィンが１種又は２種以上のＣ3-10オレフィンを含む請求項１〜５のいずれか１項に記載の燃料組成物。
【請求項７】  燃料組成物中に存在するオレフィンが、ペンタ−１−エン、ヘキサ−１−エン、ヘプタ−１−エン、オクタ−１−エン、ノナ−１−エン及びデカ−１−エンからなる群より選ばれる１種又は２種以上である請求項１〜６のいずれか１項に記載の燃料組成物。
【請求項８】  低減されたＲＶＰを有し、０．５容量％より多くのエタノールを含む請求項１に記載の燃料組成物。
【請求項９】  燃料組成物中に存在するエタノールの量が、燃料組成物の全質量をベースとして１．５〜１０．０質量％の範囲内にある請求項８に記載の燃料組成物。
【請求項１０】  ＲＶＰ値が６２ｋＰａ（9 p.s.i.）未満である請求項８又は９に記載の燃料組成物。
【手続補正書】
【提出日】平成20年2月29日(2008.2.29)
【手続補正１】
【補正対象書類名】明細書
【補正対象項目名】特許請求の範囲
【補正方法】変更
【補正の内容】
【特許請求の範囲】
【請求項１】  ケラチン含有繊維を着色する方法であって、繊維を、式
【化１】
2003525949.tif 000001
（式中、
Ｙ1及びＹ2は、それぞれ他方から独立して、水素、非置換であるか若しくは置換されているＣ1〜Ｃ4アルキル又はハロゲンであり、
Ｒ1及びＲ2は、それぞれ他方から独立して、水素又は非置換であるか若しくは置換されているＣ1〜Ｃ4アルキルであり、
Ｒ3及びＲ4は、それぞれ他方から独立して、水素、非置換であるか若しくは置換されているＣ1〜Ｃ4アルキル、Ｃ1〜Ｃ4アルコキシ又はハロゲンであり、
Ｒ5は、水素、Ｃ1〜Ｃ4アルキル、Ｃ1〜Ｃ4アルコキシ又はハロゲンであり、
Ｘは、Ｃ1〜Ｃ12アルコキシ又は式−Ｎ（Ｒ6）−ＣＯ−Ｒ7の基であり、Ｒ6は、水素又はＣ1〜Ｃ4アルキルであり、Ｒ7は、水素、Ｃ1〜Ｃ4アルキル又は−ＮＨ2であり、
Ａ-は、アニオンである）
の染料で処理することを含む方法。
【請求項２】  式
【化２】
2003525949.tif 000002
（式中、
Ｒ1及びＲ2は、それぞれメチル又はエチルであり、
Ｘは、非置換のＣ1〜Ｃ4アルコキシ又は基−ＮＨ−ＣＯ−Ｒ7であり、Ｒ7は、水素、メチル、エチル又は−ＮＨ2であり、
Ａ-は、アニオンである）
の染料。
【請求項３】  式（１）の染料の調製方法であって、式
【化３】
2003525949.tif 000003
（式中、Ｙ1、Ｙ2、Ｒ1、Ｒ2、Ｒ3、Ｒ4、Ｒ5及びＡ-は、式（１）に関して定義したとおりである）
の化合物中の遊離アミノ基をそれ自体公知の方法でアシル化すること、又は式
【化４】
2003525949.tif 000004
（式中、Ｙ1、Ｙ2、Ｒ1、Ｒ2、Ｒ3及びＲ4は、式（１）に関して定義したとおりであり、Ｒ8は、Ｃ1〜Ｃ4アルキルである）
の化合物を、それ自体公知の反応条件下、ｐ−アルコキシアニリンと反応させることを含む方法。
【請求項４】  請求項１記載の式（１）の少なくとも１種の染料を含む、ケラチン含有繊維を着色するための組成物。
【手続補正書】
【提出日】平成20年2月29日(2008.2.29)
【手続補正１】
【補正対象書類名】特許請求の範囲
【補正対象項目名】請求項３
【補正方法】変更
【補正の内容】
【請求項３】
前記アルキル基が1〜12個の炭素原子を含む、請求項２記載の方法。
【手続補正２】
【補正対象書類名】明細書
【補正対象項目名】００１６
【補正方法】変更
【補正の内容】
【００１６】
ヒンダードフェノールを含むアルキル化フェノールは、通常、フェノールをC1〜C12不飽和炭化水素、例えばエチレン、プロピレン、イソブチレン及びその異性体、アミレン及びその異性体、トリプロピレン、テトラプロピレン、デセン、ドデセン、ジイソブチレン等によりアルキル化することによって得られる。アルキルラジカルの典型例は以下のとおりである：メチル、エチル、ノルマルプロピル、イソプロピル、ノルマルブチル、イソブチル、セカンダリブチル、ターシャリーブチル、ノルマルアミル、イソアミル、2-メチルブチル、2,2-ジメチルプロピル、1-メチルブチル、ジエチルメチル、1,2-ジメチルプロピル、ターシャリーアミル、ノルマルヘキシル、1-メチルアミル、1-エチルブチル、1,2,2-トリメチルプロピル、3,3-ジメチルブチル、1,1,2-トリメチルプロピル、2-メチルアミル、1,1-ジメチルブチル、1-エチル-2-メチルプロピル、1,3-ジメチルブチル、イソヘキシル、3-メチルアミル、1,2−ジメチルブチル、1-メチル-１-エチルプロピル、2-エチル、ノルマルヘプチル、1,1,2,3-テトラメチルプロピル、1,2-ジメチル-1-エチルプロピル、1,1,2−トリメチルブチル、1-イソプロピル-2-メチルプロピル、1-メチル-2-エチルブチル、1,1-ジエチルプロピル、2-メチルヘキシル、1,1-ジメチルアミル、1-イソプロピルブチル、1-エチル-3-メチルブチル、1,4-ジメチルアミル、イソヘプチル、1-メチル-1-エチルブチル、1-エチル-2-メチルブチル、1-メチルヘキシル、1,1-プロピルブチル、ノルマルオクチル、1-メチルヘプチル、1,1-ジエチル-2-メチルプロピル、1,1,3,3-テトラメチルブチル、1,1-ジエチルブチル、1,1-ジメチルヘキシル、1-メチル-1-エチルアミル、1-メチル-1-プロピルブチル、2-エチルヘキシル、6-メチルヘプチル、ノルマルノニル、1-メチルオクチル、1-エチルヘプチル、1,1-ジメチルヘプチル、1-エチル-1-プロピルブチル、1,1-ジエチル-3-メチルブチル、ジイソブチルメチル-3,5,5-トリメチルヘキシル、3,5-ジメチルヘプチル、ノルマルデシル、1-プロピルヘプチル、1,1-ジエチルヘキシル、1,1-ジプロピルブチル、2-イソプロピル-5-メチルヘキシル及びC11〜C20アルキル基。さらに、アラールキル基、例えばベンジル、アルファ-又はベータ-フェニルエチル、アルファ,アルファ-ジメチルベンジル等も包含される。また、シクロヘキシル、シクロヘプチル、シクロドデシル等も包含される。アリール及びアルカリールラジカルの典型例は、フェニル、クレジル、キシリル、アルコキシル化フェニル、イソプロピルフェニル、ブチルフェニル、アルファ-アルキルベンジルフェニル及びアルファ,アルファ-ジアルキルベンジルフェニル、例えばアルファ-メチルベンジルフェニル、アルファ,アルファジメチルベンジルフェニル、tert-ノニルフェニルアミルフェニル、tert-ブチルフェニル、イソオクチルフェニル、ドデシルフェニル、tert-オクチルフェニル等である。
【手続補正書】
【提出日】平成20年2月8日(2008.2.8)
【手続補正１】
【補正対象書類名】明細書
【補正対象項目名】特許請求の範囲
【補正方法】変更
【補正の内容】
【特許請求の範囲】
【請求項１】  水不溶性フィルム形成剤；ならびにイトラコナゾール、テルビナフィンおよびフルコナゾールおよび／またはイトラコナゾール、テルビナフィンおよびフルコナゾールの生理学的に耐容性ある塩の群からの少なくとも１種の抗真菌剤、およびシクロピロックス、6-(2,4,4-トリメチルペンチル)-1-ヒドロキシ-4-メチル-2(1H)-ピリドン、アモロルフィンおよびブテナフィンおよび／またはシクロピロックス、6-(2,4,4-トリメチルペンチル)-1-ヒドロキシ-4-メチル-2(1H)-ピリドン、アモロルフィンおよびブテナフィンの生理学的に耐容性ある塩の群からの少なくとも１種の抗真菌剤、または上述の抗真菌剤もしくはそれらの塩の２種以上の混合物からなる活性成分配合物；を含む製剤。
【請求項２】  抗真菌剤として、シクロピロックスおよびイトラコナゾール、またはブテナフィン塩酸塩およびフルコナゾール、またはシクロピロックスおよびフルコナゾール、またはアモロルフィン塩酸塩およびテルビナフィン塩酸塩からなる請求項１記載の製剤。
【請求項３】  生理的に許容されるラッカー基剤として、硝酸セルロース、ポリビニルアセテートおよび部分加水分解ポリビニルアセテート、一方ではビニルアセテートおよび他方ではアクリル酸またはクロトン酸またはマレイン酸モノアルキルエステルのコポリマー、一方ではビニルアセテートおよび他方ではクロトン酸およびビニルネオデカノエートまたはクロトン酸およびビニルプロピオネートの三成分系コポリマー、メチルビニルエーテルおよびモノアルキルマレエートとくにマレイン酸モノブチルエステルのコポリマー、脂肪酸ビニルエステルおよびアクリル酸またはメタクリル酸のコポリマー、Ｎ−ビニルピロリドン、メタクリル酸およびメタクリル酸アルキルエステルのコポリマー、アクリル酸およびメタクリル酸またはアクリル酸アルキルエステルまたはメタクリル酸アルキルエステルのコポリマー、ポリビニルアセテートおよびポリビニルブチラール、アルキル置換ポリ−Ｎ−ビニルピロリドン、オレフィンと無水マレイン酸のコポリマーからのアルキルエステル、およびロジンとアクリル酸の反応生成物を基とするフィルム形成剤（エステル中のアルキル基は通常、短鎖であって４個を越えない炭素原子を有する）からなる請求項１または２に記載の製剤。
【請求項４】 水不溶性フィルム形成剤として、アクリル酸エチル／メタクリル酸メチル／メタクリル酸トリメチルアンモニオエチルクロリドのコポリマー、アクリル酸およびメタクリル酸エステルとメタクリル酸トリメチルアンモニウムエチルクロリド部分との
コポリマー、メチルビニルエーテルとマレイン酸モノブチルのコポリマー、ポリビニルブチラールのポリマーと硝酸セルロースまたはメタクリル酸とアクリル酸エチルのコポリマーからなる請求項３記載の製剤。  
【請求項５】  シクロピロックス、6-(2,4,4-トリメチルペンチル)-1-ヒドロキシ-4-メチル-2(1H)-ピリドン、アモロルフィンおよびブテナフィンの群からの抗真菌剤０.２５〜２０重量％、好ましくは２〜１５重量％、ならびにイトラコナゾール、テルビナフィンおよびフルコナゾールの群からの抗真菌剤０.０５〜１０重量％、好ましくは０.１〜５重量％を含む請求項１〜４のいずれかに記載の製剤。
【請求項６】  溶解された形態の生理学的に許容されるラッカー基剤を抗真菌剤と混合し、さらに必要に応じて製剤を処理することからなる請求項１〜５のいずれかに記載の医薬製剤の製造方法。
【請求項７】  足指爪および手指爪の真菌感染の予防および治療処置用医薬を製造するための請求項１〜５のいずれかに記載の製剤の使用。
【請求項８】  請求項１〜５のいずれかに記載の水不溶性フィルム形成剤；イトラコナゾール、テルビナフィンおよびフルコナゾールおよび／またはイトラコナゾール、テルビナフィンおよびフルコナゾールの生理学的に耐容性ある塩の群からの少なくとも１種の抗真菌剤；およびシクロピロックス、6-(2,4,4-トリメチルペンチル)-1-ヒドロキシ-4-メチル-2(1H)-ピリドン、アモロルフィンおよびブテナフィンおよび／またはシクロピロックス、6-(2,4,4-トリメチルペンチル)-1-ヒドロキシ-4-メチル-2(1H)-ピリドン、アモロルフィンおよびブテナフィンの生理学的に耐容性ある塩の群からの少なくとも１種の抗真菌剤、または上述の抗真菌剤もしくはそれらの塩の２種以上の混合物の、足指爪および手指爪の真菌感染の予防および治療処置用局所的医薬製剤の製造のための使用。
【請求項９】  請求項１〜５のいずれかに記載の製剤の化粧料における使用。
【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】  総血清脂質を低下させる医薬物製造のためのGLP-1アゴニストの使用。
【請求項２】  LDLを低下させる医薬物製造のためのGLP-1アゴニストの使用。
【請求項３】  低密度LDLを低下させる医薬物製造のためのGLP-1アゴニストの使用。
【請求項４】  VLDLを低下させる医薬物製造のためのGLP-1アゴニストの使用。
【請求項５】  トリグリセリドを低下させる医薬物製造のためのGLP-1アゴニストの使用。
【請求項６】  コレステロールを低下させる医薬物製造のためのGLP-1アゴニストの使用。
【請求項７】  HDLを増大させる医薬製造のためのGLP-1アゴニストの使用。
【請求項８】  ヒトのLp(a)血漿水準を低下させる医薬物製造のためのGLP-1アゴニストの使用。
【請求項９】  ヒトのapo(a)の生成を抑制する医薬物製造のためのGLP-1アゴニストの使用。
【請求項１０】  異常脂質血症の治療用の医薬物製造のためのGLP-1アゴニストの使用。
【請求項１１】  GLP-1アゴニストが１μMより低い親和性定数KDをもってGLP-1受容体に結合する請求項１−１０のいずれか１項記載による使用。
【請求項１２】  GLP-1アゴニストが、Arg26、Lys34(N-ε-(γ-Glu(N-α-ヘキサデカノイル)))-GLP-1(7-37),Arg34,Lys26(N-ε-(γ-Glu(N-α-ヘキサデカノイル)))-GLP-1(7-37),イクスエンジン3(exendin-3), イクスエンジン4(exendin-4),Val8-GLP-1(7-37),Thr8-GLP-1(7-37),Met8-GLP-1(7-37),Gly8-GLP-1(7-37)から選択される請求項１−１１のいずれか１項記載による使用。
【請求項１３】  GLP-1アゴニストを含んでなる、総血清脂質を低下させるための組成物。
【請求項１４】  GLP-1アゴニストを含んでなる、LDLを低下させるための組成物。
【請求項１５】  GLP-1アゴニストを含んでなる、小さく、密度の高い(small dense)LDLを低下させるための組成物。
【請求項１６】  GLP-1アゴニストを含んでなる、VLDLを低下させるための組成物。
【請求項１７】  GLP-1アゴニストを含んでなる、トリグリセリドを低下させるための組成物。
【請求項１８】  GLP-1アゴニストを含んでなる、コレステロールを低下させるための組成物。
【請求項１９】  GLP-1アゴニストを含んでなる、HDLを増大させるための組成物。
【請求項２０】  GLP-1アゴニストを含んでなる、生体外(vitro)、生体内(vivo)でのapo(a)の生成を抑制するための組成物。
【請求項２１】  GLP-1アゴニストを含んでなる、ヒトにおける血漿のLp(a)水準を低下させるための組成物。
【請求項２２】  GLP-1アゴニストを含んでなる、ヒトのapo(a)の生成を抑制するための組成物。
【請求項２３】  GLP-1アゴニストを含んでなる、含む異常脂質血症の治療のための組成物。
【請求項２４】  GLP-1アゴニストが、１μMより低い親和定数KDをもって、GLP-1受容体に結合する請求項13〜23のいずれか１項に記載に記載の組成物。
【請求項２５】  前記GLP-1 アゴニストが、Arg26、Lys34(N-ε-(γ-Glu(N-α-ヘキサデカノイル)))-GLP-1(7-37),Arg34,Lys26(N-ε-(γ-Glu (N-α-ヘキサデカノイル)))-GLP-1(7-37),イクスエンジン3(exendin-3),イクスエンジン4(exendin-4),Val8-GLP-1(7-37),Thr8-GLP-1(7-37),Met8-GLP-1(7-37),Gly8-GLP-1(7-37)から選択される請求項13〜23のいずれか１項記載に記載の組成物。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
（i）ブロワと、（ii）患者のための患者インタフェースと、（iii）前記ブロワからの空気を前記患者インタフェースに対して供給するための空気供給管路と、（iv）前記患者インタフェース内の圧力を決定するようになっている圧力センサと、（v）患者への空気の流量を決定するようになっている流量センサと、（vi）患者の呼吸サイクルの吸気と呼気との間の移行を前記圧力センサと前記流量センサの少なくとも一方から決定するようにプログラムされた同期モジュールと、（vii）２レベル（ｂｉｌｅｖｅｌ）型の圧力−時間曲線にしたがって患者の呼吸サイクルの呼気部分中においては第１の陽圧で、患者の呼吸サイクルの吸気部分中においては第２の陽圧で、所定量の空気を供給するようにプログラムされた制御機構とを有するＣＰＡＰ装置において、ブロワ動作を制御する方法であって、
睡眠呼吸障害の存在を示す少なくとも１つの指数を前記圧力センサ又は前記流量センサから自動的に決定するステップと、
睡眠呼吸障害の指数にしたがって治療圧力を自動的に決定するステップと、
前記治療圧力に基づく前記第１の陽圧と前記第２の陽圧の少なくとも一方を設定するステップと、
前記ブロワを制御することにより、患者の呼吸サイクルの呼気部分中においては第１の陽圧で、患者の呼吸サイクルの吸気部分中においては第２の陽圧で、前記同期モジュールにより決定されるように患者の呼吸サイクルと同期して所定量の空気を供給するステップと、
を備える方法。
【請求項２】
睡眠呼吸障害の存在を示す指数は、患者の吸気流量−時間曲線に示される流量平坦化、いびき、無呼吸、呼吸低下のうちの１つ以上の関数である、請求項１に記載の方法。
【請求項３】
前記２レベル型の圧力−時間曲線が方形波又はサメ鰭形波である、請求項１に記載の方法。
【請求項４】
前記第１の陽圧がＥＰＡＰであり、前記第２の陽圧がＩＰＡＰである、請求項１に記載の方法。
【請求項５】
前記第１の陽圧が最終呼気圧力（ＥＥＰ）である、請求項１に記載の方法。
【請求項６】
前記圧力−時間曲線が最小圧力値及び最大圧力値を有する、請求項１に記載の方法。
【請求項７】
患者に対して供給される前記第１の陽圧が最小値を有する、請求項１に記載の方法。
【請求項８】
患者に対して供給される最小圧力が約４ｃｍＨ２Ｏである、請求項７に記載の方法。
【請求項９】
前記第２の陽圧が前記第１の陽圧よりも高い、請求項１に記載の方法。
【請求項１０】
前記圧力−時間曲線が所定のスイングを有する、請求項１に記載の方法。
【請求項１１】
前記圧力−時間曲線が、治療圧力が低いときに小さなスイングを有する、請求項１に記載の方法。
【請求項１２】
睡眠呼吸障害の第２の指数を決定するステップを更に備える、請求項１に記載の方法。
【請求項１３】
前記少なくとも１つの指数が無呼吸を示し、前記第２の指数が流量平坦化を示す、請求項１２に記載の方法。
【請求項１４】
睡眠呼吸障害の前記第２の指数に他の治療圧力を決定するステップを更に備える、請求項１３に記載の方法。
【請求項１５】
前記圧力−時間曲線の前記第２の陽圧を前記他の治療圧力に設定するステップを更に備える、請求項１４に記載の方法。
【請求項１６】
ＥＰＡＰ圧力を前記治療圧力に設定するとともに、ＩＰＡＰ圧力を前記他の治療圧力に設定するステップを更に備える、請求項１５に記載の方法。
【請求項１７】
前記圧力−時間曲線がルックアップテーブル又は配列内に記憶される、請求項１に記載の方法。
【請求項１８】
平均圧力が前記第１の陽圧と前記第２の陽圧との間の圧力である、請求項１に記載の方法。
【請求項１９】
所定量の空気を陽圧で供給するようになっているブロワと、鼻患者インタフェースと、前記ブロワを前記患者インタフェースに接続する空気供給チューブと、前記空気供給チューブに沿う患者への空気の流量を監視するようになっている流量センサと、マイクロプロセッサとを備える装置において、口漏れの存在を検出する方法であって、
患者の呼吸サイクルの吸気部分中の漏れ流量を前記流量センサから決定するステップと、
吸気部分中の漏れ流量から吸気中の漏れ量を計算するステップと、
患者の呼吸サイクルの呼気部分中の漏れ流量を決定するステップと、
前記呼気部分中の漏れ流量から吸気中の漏れ量を計算するステップと、
呼気中の漏れ量が吸気中の漏れ量を閾値分だけ超えた場合に、口漏れが起こったと決定するステップと、
を備える方法。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
RBP4またはTTRまたはRBP4/TTR複合体を試験化合物と接触させること、および試験化合物の存在下のRBP4活性のレベルを、試験化合物の非存在下のRBP4活性のレベルと比較し、RBP4活性の調節を測定することを含み、ここで、RBP4活性の変化はRBP4活性を調節する化合物を示唆する、RBP4活性を調節する化合物の同定方法。
【請求項２】
RBP4活性がRBP4 mRNAの発現である、請求項１記載の方法。
【請求項３】
試験化合物の存在下のRBP4活性のレベルが、試験化合物の非存在下のRBP4活性のレベルと比べて低減される、請求項１記載の方法。
【請求項４】
RBP4活性がRBP4の細胞への結合である、請求項１記載の方法。
【請求項５】
細胞が、脂肪細胞、肝臓細胞および筋肉細胞からなる群より選択される、請求項４記載の方法。
【請求項６】
RBP4活性が、RBP4のトランスチレチンに対する結合である、請求項１記載の方法。
【請求項７】
トランスチレチンに対するRBP4結合が阻害または低減される、請求項６記載の方法。
【請求項８】
a)  試験化合物を哺乳動物に投与する工程；
b)  哺乳動物から尿試料を採取する工程；および
c)  試験化合物の投与後の尿試料中のRBP4レベルを、試験化合物の投与前の対照尿試料中のRBP4のレベルと比較する工程、ここで、対照試料と比較して試験化合物投与後の尿試料中のRBP4の増加は、RBP4の循環レベルの低下を示唆する、
を含む、哺乳動物中のRBP4の循環レベルを低下させる化合物の同定方法。
【請求項９】
哺乳動物におけるインスリン抵抗性の低減のための医薬の製造における、RBP4活性を低下させる化合物の使用。
【請求項１０】
RBP4の活性がRBP4 mRNAの発現である、請求項９記載の使用。
【請求項１１】
RBP4の活性がRBP4の細胞への結合である、請求項９記載の使用。
【請求項１２】
細胞が、脂肪細胞、肝臓細胞および筋肉細胞からなる群より選択される、請求項１１記載の使用。
【請求項１３】
RBP4活性が、RBP4のトランスチレチンに対する結合である、請求項９記載の使用。
【請求項１４】
トランスチレチンに対する結合が阻害または低減される、請求項１３記載の使用。
【請求項１５】
哺乳動物から採取した生物学的試料中のRPB4活性を測定することを含み、ここで、RBP4活性の増加がインスリン抵抗性または関連する状態を示唆する、哺乳動物におけるインスリン抵抗性または関連する状態を検出する方法。
【請求項１６】
RBP4蛋白質、またはその断片の量を測定する、請求項１５記載の方法。
【請求項１７】
RBP4蛋白質、またはその断片の量を、イムノアッセイによって測定する、請求項１６記載の方法。
【請求項１８】
化合物が、抗体、レチンアミド、レチニルエステル、レチンアミド擬似体およびレチニルエステル擬似体からなる群より選択される、請求項９記載の使用。
【請求項１９】
RBP4活性が、
a) RBP4 mRNAまたは蛋白質の発現；
b) RBP4の細胞への結合、ここで該細胞は脂肪細胞、肝臓細胞または筋肉細胞である；
c) RBP4のトランスチレチンへの結合；
d) RBP4のレチノールへの結合；
e) RBP4の細胞表面受容体への結合；ならびに
f) インスリンシグナル伝達経路およびレチノール依存性シグナル伝達経路からなる群より選択されるシグナル伝達経路の活性化
からなる群より選択される、請求項９記載の使用。
【請求項２０】
レチノール結合蛋白質4（RBP4）またはトランスチレチン（TTR）またはRBP4/TTR複合体を試験化合物と接触させること、および試験化合物の存在下のRBP4活性のレベルを、試験化合物の非存在下のRBP4活性のレベルと比較することを含み、ここで、RBP4活性が、
a) RBP4 mRNAまたは蛋白質の発現；
b) RBP4の細胞への結合、ここで該細胞は脂肪細胞、肝臓細胞または筋肉細胞である；
c) RBP4のトランスチレチンへの結合；
d) RBP4のレチノールへの結合；
e) RBP4の細胞表面受容体への結合；ならびに
f) インスリンシグナル伝達経路およびレチノール依存性シグナル伝達経路からなる群より選択されるシグナル伝達経路の活性化
からなる群より選択され、ここでRBP4活性の変化は、哺乳動物におけるインスリン抵抗性のレベルを低下させる化合物を示唆する、
哺乳動物におけるインスリン抵抗性のレベルを低下させる化合物の同定方法。
【請求項２１】
試験化合物の存在下のRBP4活性のレベルが、試験化合物の非存在下のRBP4活性のレベルと比べて低減される、請求項２０記載の方法。
【請求項２２】
哺乳動物から採取した生物学的試料中のレチノール結合蛋白質4（RBP4）蛋白質、またはその断片の量を測定することを含み、ここで、試料中のRBP4蛋白質またはその断片の量の増加がインスリン抵抗性または関連する状態を示唆する、インスリン抵抗性に関連する状態がない、またはその状態が生じる前での哺乳動物におけるインスリン抵抗性または関連する状態を検出する方法。
【請求項２３】
生物学的試料が、組織、全血、血清、血漿および尿からなる群より選択される、請求項１５または２２記載の方法。
【請求項２４】
生物学的試料を固相支持体上に固定化する、請求項２３記載の方法。
【請求項２５】
固相支持体が濾紙である、請求項２４記載の方法。
【請求項２６】
RBP4蛋白質、またはその断片の量を、イムノアッセイによって測定する、請求項２２記載の方法。
【請求項２７】
イムノアッセイがELISA、RIA、ネフロメトリーアッセイまたはウェスタンブロットである、請求項２６記載の方法。
【請求項２８】
関連する状態が代謝症候群および２型糖尿病からなる群より選択される、請求項２２記載の方法。
【請求項２９】
哺乳動物が肥満である、請求項２２記載の方法。
【請求項３０】
哺乳動物が代謝症候群、異常脂質血症、妊娠糖尿病の病歴、絶食時グルコース障害、グルコース耐性障害または２型糖尿病を有する、請求項２２記載の方法。
【手続補正書】
【提出日】平成19年11月5日(2007.11.5)
【手続補正１】
【補正対象書類名】明細書
【補正対象項目名】００５３
【補正方法】変更
【補正の内容】
【００５３】
ＦＰＲおよびＦＰＲＬ１のアゴニスト、可溶性のＡ−ＳＡＡ、ＷＫＹＭＷＶｍペプチド、細菌走化性ペプチドｆＭＬＦ、および可能なその約８．６ｋＤａのフラグメントは、Ａ−ＳＡＡを用いた特異的ウェスタンブロット法での我々の実験に示されるようにリン酸化（図８）およびＦＰＲ活性化によるＨＩＶ−１コレセプターＣＣＲ５およびＣＸＣＲ４の両方のダウン修飾（３４−３７）を誘導する。それで、報告されるように（３１、３７、３８）、Ａ−ＳＡＡタンパク質がＨＩＶ−１感染を阻害したことが示された（図９）。Peprotec（登録商標）から購入された、これらのアッセイに用いられたＡ−ＳＡＡは、約８．６ｋＤａのフラグメントを示す（図１０）。
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
構造ポリマーおよび可視光選択的透過領域を含む眼内レンズ（ＩＯＬ）であって、該可視光選択的透過領域はＩＯＬ全体より小さく、眼内レンズ内の独立領域として構造ポリマーにより囲まれていることを特徴とする眼内レンズ。
【請求項２】
該可視光選択的透過領域は、光吸収性染料、表面被覆および回折パターンからなる群から選択される、請求項１に記載の眼内レンズ。
【請求項３】
該可視光選択的透過領域は、４００λ〜５５０λの波長の間の可視光を選択的に透過する、請求項２に記載の眼内レンズ。
【請求項４】
該可視光選択的透過領域は、少なくとも１種の光吸収性染料を含んでなる、請求項３に記載の眼内レンズ。
【請求項５】
該光吸収性染料は、アゾ染料またはメチン染料である、請求項４に記載の眼内レンズ。
【請求項６】
更に、紫外線吸収性化合物を含む、請求項１に記載の眼内レンズ。
【請求項７】
該紫外線吸収性化合物は、ベンゾフェノン又はベンゾトリアゾールである、請求項６に記載の眼内レンズ。
【請求項８】
構造ポリマーは、アクリレート、シリコーン、ヒドロゲル及びアクリルシリコーンハイブリッドからなる群から選択される、請求項１に記載の眼内レンズ。
【請求項９】
該可視光選択的透過領域は、アクリレート、シリコーン、ヒドロゲル及びアクリルシリコーンハイブリッドからなる群から選択される構造ポリマー、並びにアゾ染料及びメチン染料からなる群から選択される光吸収性染料０．０１〜５質量％を含んでなる、請求項２に記載の眼内レンズ。
【請求項１０】
該光吸収性染料は、該構造ポリマーに共有結合されている、請求項９に記載の眼内レンズ。
【請求項１１】
該光吸収性染料は、該構造ポリマー中に分散されている、請求項９に記載の眼内レンズ。
【請求項１２】
該可視光選択的透過領域は、該独立領域内で光吸収性染料の傾斜を含み、該傾斜は、該独立領域の中心部で光吸収性染料の最高濃度及び該独立領域の境界部で該染料の最低濃度を有する、請求項１に記載の眼内レンズ。
【請求項１３】
眼内レンズの周縁を規定する外周部、前表面、後表面、及び該前表面と後表面と外周部とにより規定された可視光吸収領域を有してなる、眼内レンズ（ＩＯＬ）。
【請求項１４】
該可視光吸収領域は染料を含み、該染料は該眼内レンズ周縁に達していない、請求項１３に記載の眼内レンズ。
【請求項１５】
該染料は、該眼内レンズの該前表面又は該後表面に達していない、請求項１３に記載の眼内レンズ。
【請求項１６】
該染料は、移植者の眼の解剖学的構造又は生理液に接触しない、請求項１４に記載の眼内レンズ。
【請求項１７】
更に、紫外線吸収性化合物を含む、請求項１３に記載の眼内レンズ。
【請求項１８】
該紫外線吸収性化合物は、ベンゾフェノン又はベンゾトリアゾールである、請求項１７に記載の眼内レンズ。
【請求項１９】
ａ）くぼみを有するポリマー構造体を形成し、
ｂ）該くぼみに可視光吸収性染料を充填し、
ｃ）該ポリマー構造体及び該可視光吸収性染料を含む該くぼみをポリマーで被覆して、染料含有ポリマー構造体を形成し、
ｄ）該染料含有ポリマー構造体を加工して眼内レンズを形成する
ことを含んでなる、眼内レンズ（ＩＯＬ）の製造方法。
【請求項２０】
該ポリマー構造体は円盤状である、請求項１９に記載の製造方法。
【請求項２１】
該ポリマーは、アクリレート、シリコーン、ヒドロゲル及びアクリルシリコーンハイブリッドからなる群から選択される、請求項１９に記載の製造方法。
【請求項２２】
該可視光吸収性染料はアゾ染料である、請求項１９に記載の製造方法。
【請求項２３】
ａ）トップ表面を有するポリマー構造体を第１ポリマーから形成し、
ｂ）該ポリマー構造体のトップ表面にくぼみを形成し、
ｃ）該くぼみに可視光吸収性染料を充填し、
ｄ）該ポリマー構造体のトップ表面及び該可視光吸収性染料を含むくぼみを該第１ポリマーで被覆して、染料含有ポリマー構造体を形成し、
ｅ）該染料含有ポリマー構造体を眼内レンズに成形する
ことを含んでなる、眼内レンズの製造方法。
【請求項２４】
ジオプター値に関係なく一定の光吸収性染料濃度を有する、請求項４に記載の眼内レンズ（ＩＯＬ）。
【請求項２５】
該可視光選択的透過領域はＩＯＬ全体より小さく、該可視光選択的透過領域は回折パターンからなる、請求項１に記載の眼内レンズ。
【請求項２６】
該可視光選択的透過領域は表面被覆からなる、請求項２５に記載の眼内レンズ。
【請求項２７】
該可視光選択的透過領域はＩＯＬ全体より小さく、該可視光選択的透過領域は異なる視力を矯正するための異なるゾーンを含む、請求項１に記載の眼内レンズ。
【請求項２８】
該可視光選択的透過領域は、可視光選択的透過領域の構造ポリマー中に分散された光吸収性染料を含む、請求項２７に記載の眼内レンズ。
【請求項２９】
該可視光選択的透過領域は、回折パターンを含む、請求項２８に記載の眼内レンズ。
【請求項３０】
該可視光選択的透過領域は、表面被覆を含む、請求項２７に記載の眼内レンズ。
【請求項３１】
該可視光吸収性染料は、４００λ〜５５０λの波長の間の可視光を吸収する、請求項２８に記載の眼内レンズ。
【請求項３２】
該光吸収性染料は、アゾ染料またはメチン染料である、請求項３１に記載の眼内レンズ。
【手続補正２】
【補正対象書類名】明細書
【補正対象項目名】００１３
【補正方法】変更
【補正の内容】
【００１３】
本発明は、哺乳類の目に移植するのに適しているＩＯＬであって、レンズは、構造ポリマーおよび可視光選択的透過領域を含み、可視光選択的透過領域は、ＩＯＬ全体より小さく、眼内レンズ内の独立領域として構造ポリマーにより囲まれているＩＯＬである。本発明の１つの態様において、ＩＯＬは、少なくとも１種の光吸収性染料、特に約４００〜５５０ナノメータ（nm）の波長範囲で可視光を吸収する染料を含んでなる規定された領域を有する。
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
一つ以上の剃刀刃（１６）と、
一つの非固体シェービングエイド物質を収容する一つの容器（２２）と、
前記容器（２２）と一つ以上のポート（３３）との間を伸長する少なくとも一つの導管（３６）と、
一つのポンプ（２４）と、
を含み、
前記ポンプ（２４）が前記容器（２２）及び前記導管（３６）の何れか一つ又は両方と流体連通し、一つ以上の剃刀刃（１６）の移動により作動し、シェービングエイド物質を前記容器（２２）から一つ以上のポート（３３）に移動することを特徴とする、シェービング装置（１０）。
【請求項２】
前記一つ以上の剃刀刃（１６）がヘッド組立体（１４）に装着される、請求項１記載のシェービング装置（１０）。
【請求項３】
前記一つ以上の剃刀刃（１６）が剃刀カートリッジ（２０）に装着される、請求項１記載のシェービング装置（１０）。
【請求項４】
前記ポンプ（２４）が相互に作動する一つの機構を含んで成る、請求項３記載のシェービング装置（１０）。
【請求項５】
前記機構が、
一つのスリーブ（２８）と、
加圧式ストロークを備えるために、前記スリーブ（２８）の長手方向に沿って第一方向に移動する一つの軸（３２）と、
戻りストロークを備えるために、前記スリーブ（２８）に位置し第二方向に前記軸（３２）を付勢する一つのばね（３０）と、
を含んで成る、請求項４記載のシェービング装置（１０）。
【請求項６】
前記ポンプ（２４）が往復運動に対応するよう作動する一つのベローズ機構（４２）を含んで成る、請求項３記載のシェービング装置（１０）。
【請求項７】
前記ベローズ機構（４２）が柔軟性のある複数のプリーツ（４０）を含んで成り、加圧式ストロークを備えるために前記プリーツ（４０）が第一方向に折り畳みが可能であり、戻りストロークを備えるために第二方向に拡張する、請求項６記載のシェービング装置（１０）。
【請求項８】
前記容器（２２）と流体連通する一つのバルブをさらに含んで成る、請求項３記載のシェービング装置（１０）。
【請求項９】
前記バルブが、前記ポンプ（２４）の操作により周囲空気の前記容器（２２）への侵入を許可するよう作動する一方向バルブ（２６）である、請求項８記載のシェービング装置（１０）。
【請求項１０】
前記剃刀刃（１６）が前記剃刀カートリッジ（２０）に装着される、請求項３記載のシェービング装置（１０）。
【請求項１１】
前記剃刀カートリッジ（２０）が枢動可能にヘッド組立体（１４）に装着される、請求項１０記載のシェービング装置（１０）。
【請求項１２】
湿式シェーブ剃刀用シェービングエイド物質ポンプ（２４）であって、
前記湿式シェーブ剃刀が、剃毛面に接触する少なくとも一つの露出する刃先を画定する一つの剃刀刃（１６）を有しており、
前記ポンプ（２４）が、前記シェービングエイド物質を前記剃毛面に塗布するために、前記シェービングエイド物質を一つの容器（２２）から一つのポート（３３）に移動するよう選択的に作動し、一つの付勢機構（３０）を含む一つの往復機構を含んで成る、
ことを特徴とするポンプ（２４）。
【請求項１３】
前記往復機構が、さらに
一つのスリーブ（２８）と、
加圧式ストロークを備えるために、前記スリーブ（２８）の少なくとも部分的に長手方向に沿って第一方向に移動する一つの軸（３２）と、
を含んで成る、請求項１２記載のポンプ（２４）。
【請求項１４】
前記付勢機構（３０）が、第二方向に前記軸（３２）を付勢して戻りストロークを与えるように、前記スリーブ（２８）に作動的に位置し、さらに前記軸（３２）に作動的に位置する一つのばね（３０）を含んで成る、請求項１３記載のポンプ（２４）。
【請求項１５】
前記往復機構が、柔軟性のある複数のプリーツ（４０）をさらに含んで成る一つのベローズ（４２）を含み、加圧式ストロークを備えるために、該プリーツ（４０）が第一方向に折り畳みが可能であり、戻りストロークを備えるために第二方向に拡張する、請求項１２記載のポンプ（２４）。
【請求項１６】
前記ポンプ（２４）と前記ポート（３３）との間を伸長する一つの導管（３６）をさらに含んで成る、請求項１２記載のポンプ（２４）。
【請求項１７】
前記容器（２２）からのシェービングエイド物質の流出を促進するために、圧力差を備える前記容器（２２）と連通するよう配置される一つのバルブをさらに含んで成る、請求項１２記載のポンプ（２４）。
【請求項１８】
前記バルブが、前記ポンプ（２４）の操作により周囲空気の前記容器（２２）への侵入を許可する一方向バルブ（２６）である、請求項１７記載のポンプ（２４）。
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
歯の予備処置のための装置であって、歯肉上に位置可能であり、かつ下記のものを含む装置：
上部分及び下部分を有するトレー；
前記装置と前記歯肉の間の密着を可能にするための前記上部分上の封止リップ；及び
活性化溶液を受けるための前記下部分における吸収材料。
【請求項２】
前記装置と前記歯肉の間の密着をさらに可能にするために前記封止リップ上に位置された接着材料をさらに含む請求項１に記載の装置。
【請求項３】
前記トレーが適用中に前記歯肉上で成形されることができる加熱可能なプラスチックから構成される請求項１に記載の装置。
【請求項４】
前記活性化溶液が金属塩溶液である請求項１に記載の装置。
【請求項５】
前記金属塩溶液が硝酸銀、水酸化パラジウム、塩化パラジウム及び塩化銅からなる群から選択される請求項４に記載の装置。
【請求項６】
前記活性化溶液が予め測定された量の活性化溶液である請求項１に記載の装置。
【請求項７】
下記のものを含む歯科処置のための装置：
第一端及び第二端を有する、物質を歯に適用するためのアプリケータ；
前記アプリケータの第一端に取り付けられた第一電極；
前記アプリケータの前記第二端に取り付けられた第二電極、但し前記第一電極及び前記第二電極が前記アプリケータを通る電流を生成するように構成される；及び
前記アプリケータ内に位置するためのイオン化可能な物質であって、前記電流の適用時にイオン化を受けるように構成されるイオン化可能な物質。
【請求項８】
前記アプリケータが歯科用トレーである請求項７に記載の装置。
【請求項９】
前記アプリケータが歯ブラシである請求項７に記載の装置。
【請求項１０】
前記イオン化可能な物質がフッ化物ドナー化合物である請求項７に記載の装置。
【請求項１１】
前記フッ化物ドナー化合物がフッ化ナトリウム、フッ化リチウム、フッ化アミノ、フッ化錫、又はフッ化物ドナー化合物の組み合わせで富化されている請求項１０に記載の装置。
【請求項１２】
前記第一端が後方湾曲壁であり、前記第一電極が陽極である請求項８に記載の装置。
【請求項１３】
前記陽極が平坦な金属ストリップである請求項１２に記載の装置。
【請求項１４】
前記陽極を前記歯から分離するためのスペーサを前記陽極上にさらに含む請求項１３に記載の装置。
【請求項１５】
前記スペーサが生体適合性プラスチック材料からなる請求項１４に記載の装置。
【請求項１６】
前記第二端が前方壁であり、前記第二電極が陰極である請求項８に記載の装置。
【請求項１７】
前記陰極がばね機構をさらに含む請求項１６に記載の装置。
【請求項１８】
前記陰極が三つの陰極を含み、前記三つの陰極の各々が別個の歯にその歯の上の接触領域で接触するように構成される請求項１６に記載の装置。
【請求項１９】
前記接触領域が最小にされている請求項１８に記載の装置。
【請求項２０】
前記歯科用トレーが封止リップをさらに含む請求項１８に記載の装置。
【請求項２１】
電力源をさらに含む請求項７に記載の装置。
【請求項２２】
前記電力源が外部電力源である請求項２１に記載の装置。
【請求項２３】
前記電力源が再充電可能な電池である請求項２１に記載の装置。
【請求項２４】
前記電力源が前記アプリケータ内に埋め込まれた使い捨て電池である請求項２１に記載の装置。